(57)【特許請求の範囲】
【請求項１】
液体を収容する容器本体と、該容器本体の上部開口を覆蓋する栓本体と、前記容器本体内に垂設された合成樹脂製のストローと、前記栓本体に取り付けられ、前記ストローと連通する液体吸飲用の飲み口と、該飲み口を覆蓋すべく前記栓本体に対して開閉自在に取り付けられた蓋体とを備えた飲料用容器であって、前記飲み口を、ゴム製の管状部材で構成する一方、前記栓本体には、前記飲み口を嵌挿するための嵌挿穴を形成し且つ該嵌挿穴の外面側口縁において上向きに一体に突設された筒状リブと該筒状リブに隣接する位置において上向きに一体に突設された筒体とを設けるとともに、前記飲み口には、前記嵌挿穴に嵌挿される嵌挿部と、前記嵌挿穴を介して前記容器本体内に達し且つ前記ストローの上端部が取り付けられる延設部と、前記嵌挿部の外周部に位置して前記筒状リブに被嵌されるキャップと、該キャップに隣接する位置にあって前記筒体に被嵌される被嵌部とを一体に形成したことを特徴とする飲料用容器。
【発明の詳細な説明】
【技術分野】
【０００１】
本願発明は、ユーザが直飲みするタイプの飲料用容器に関するものである。
【背景技術】
【０００２】
この種の飲料用容器としては、液体を収容する容器本体と、該容器本体の上部開口を覆蓋する栓本体と、前記容器本体内に垂設された合成樹脂製のストローと、前記栓本体に取り付けられ、前記ストローと連通するユーザ吸飲用の飲み口と、該飲み口を覆蓋すべく前記栓本体に対して開閉自在に取り付けられた蓋体とを備えたものが従来からよく知られている。
【０００３】
上記構成の飲料用容器において、栓本体の天壁には、内面側および外面側に突出し且つ互いに連通する通路を有する筒状体を一体に突設し、該内面側筒状体には前記ストローを着脱自在に取り付ける一方、外面側筒状体には、ゴム製の飲み口を着脱自在に取り付けることにより、飲み口から容器本体内の液体を吸飲できるように構成したものが提案されている（特許文献１参照）。
【０００４】
【特許文献１】特開２００２−１７３１６２号公報。
【発明の開示】
【発明が解決しようとする課題】
【０００５】
上記特許文献１に開示されている飲料用容器の場合、栓本体は、通常合成樹脂の一体成形品で構成されているところから、飲み口およびストローが取り付けられる筒状体も合成樹脂製となっている。すると、共に合成樹脂製の筒状体とストローとが相互に取り付けられることとなるが、ストローは、薄いパイプ形状とされているため、製造上必ずしも真円形状となるとは限らない。上記のような事情から、ストローを筒状体に取り付けた状態において、両者の間に僅かな隙間が形成されることがある。このような隙間が形成されると、飲み口から容器本体内の液体を吸飲するとき、前記隙間から空気が混入し、泡立った状態での液体吸飲となり、ユーザにとって極めて不快な音が出ることがある。
【０００６】
本願発明は、上記の点に鑑みてなされたもので、ゴム製の飲み口に合成樹脂製のストローを直接接続し得るようにすることにより、液体吸飲時の空気混入を防止するとともに、部品点数を削減することを目的としている。
【課題を解決するための手段】
【０００７】
本願発明では、上記課題を解決するための第１の手段として、液体を収容する容器本体と、該容器本体の上部開口を覆蓋する栓本体と、前記容器本体内に垂設された合成樹脂製のストローと、前記栓本体に取り付けられ、前記ストローと連通する液体吸飲用の飲み口と、該飲み口を覆蓋すべく前記栓本体に対して開閉自在に取り付けられた蓋体とを備えた飲料用容器において、前記飲み口を、ゴム製の管状部材で構成する一方、前記栓本体に、前記飲み口を嵌挿するための嵌挿穴を形成し且つ該嵌挿穴の外面側口縁において上向きに一体に突設された筒状リブと該筒状リブに隣接する位置において上向きに一体に突設された筒体とを設けるとともに、前記飲み口に、前記嵌挿穴に嵌挿される嵌挿部と、前記嵌挿穴を介して前記容器本体内に達し且つ前記ストローの上端部が取り付けられる延設部と、前記嵌挿部の外周部に位置して前記筒状リブに被嵌されるキャップと、該キャップに隣接する位置にあって前記筒体に被嵌される被嵌部とを一体に形成している。
【０００８】
上記のように構成したことにより、ゴム製の管状部材からなる飲み口に対して、ストローの上端を直接接続することができることとなる。従って、ストローがたとえ真円形状となっていなくとも、飲み口が柔軟性のあるゴム製となっているところから、ストローと飲み口との接続部位に隙間が生じるということがなくなり、液体吸飲時に空気が混入するということがなくなる。その結果、スムーズな液体吸飲が行えることとなり、ユーザにとって好印象な飲料用容器となる。しかも、飲み口の延設部に対して、ストローの上端を直接接続するようにしているため、部品点数を削減できる。
【発明の効果】
【０００９】
本願発明の第１の手段によれば、液体を収容する容器本体と、該容器本体の上部開口を覆蓋する栓本体と、前記容器本体内に垂設された合成樹脂製のストローと、前記栓本体に取り付けられ、前記ストローと連通する液体吸飲用の飲み口と、該飲み口を覆蓋すべく前記栓本体に対して開閉自在に取り付けられた蓋体とを備えた飲料用容器において、前記飲み口を、ゴム製の管状部材で構成する一方、前記栓本体に、前記飲み口を嵌挿するための嵌挿穴を形成し且つ該嵌挿穴の外面側口縁において上向きに一体に突設された筒状リブと該筒状リブに隣接する位置において上向きに一体に突設された筒体とを設けるとともに、前記飲み口に、前記嵌挿穴に嵌挿される嵌挿部と、前記嵌挿穴を介して前記容器本体内に達し且つ前記ストローの上端部が取り付けられる延設部と、前記嵌挿部の外周部に位置して前記筒状リブに被嵌されるキャップと、該キャップに隣接する位置にあって前記筒体に被嵌される被嵌部とを一体に形成して、ゴム製の管状部材からなる飲み口に対して、ストローの上端を直接接続することができるようにしたので、ストローがたとえ真円形状となっていなくとも、飲み口が柔軟性のあるゴム製となっているところから、ストローと飲み口との接続部位に隙間が生じるということがなくなり、液体吸飲時に空気が混入するということがなくなるという効果がある。その結果、スムーズな液体吸飲が行えることとなり、ユーザにとって好印象な飲料用容器となるという効果も得られる。しかも、飲み口の延設部に対して、ストローの上端を直接接続するようにしているため、部品点数を削減できるという効果もある。
【発明を実施するための最良の形態】
【００１０】
以下、添付の図面を参照して、本願発明の好適な実施の形態について説明する。
【００１１】
この飲料用容器は、図１に示すように、液体を収容する容器本体１と、該容器本体１の上部開口１ａを覆蓋する栓本体２と、前記容器本体１内に垂設された合成樹脂製のストロー３と、前記栓本体２に取り付けられ、前記ストロー３と連通する液体吸飲用の飲み口４と、該飲み口４を覆蓋すべく前記栓本体２に対して開閉自在に取り付けられた蓋体５とを備えて構成されている。
【００１２】
前記容器本体１は、共にステンレス製とされた内筒６と外筒７との間の空間を真空状態とした真空二重容器（即ち、断熱容器）からなっており、大径の胴部１ｂと該胴部１ｂの上部を絞り込んで形成された小径の口部１ｃとからなっている。該口部１ｃ内は、容器本体１の上部開口１ａとされている。また、前記口部１ｃの外周には、雄ネジが形成されている。さらに、前記胴部１ｂの底部には、合成樹脂製の皿形状の底部材８が螺結合により取り付けられている。
【００１３】
前記栓本体２は、図２に示すように、前記容器本体１の口部１ｃにおける上部開口１ａを覆蓋する天壁２ａと、該天壁２ａの外周端縁から一体に垂設され、前記口部１ｃの雄ネジと螺結合する雌ネジを内面に形成してなる筒部２ｂとからなっており、合成樹脂の一体成形品により構成されている。そして、前記栓本体２の天壁２ａの中央部には、前記飲み口４を嵌挿するための嵌挿穴１０が形成されており、該嵌挿穴１０の外面側口縁には、上向きの筒状リブ１１が一体に突設されている。また、前記栓本体２における天壁２ａの外周端縁一端側には、前記蓋体５を開閉自在に枢支するためのヒンジ受け１２が一体に突設されている。さらに、前記栓本体２の筒部２ｂにおける前記ヒンジ受け１２と反対側となる部位には、前記蓋体５の閉止状態を保持するためのロック部材１３がその下端に対して枢軸１４を介して揺動自在に取り付けられている。該ロック部材１３の上端（即ち、揺動端）には、前記蓋体５の反ヒンジ側に形成された係合片１５が係合する係合凹部１６が形成されている。さらにまた、前記栓本体２の天壁２ａにおいて、前記筒状リブ１１と前記ヒンジ受け１２との間の中間部位には、容器本体１内と連通する空気抜き通路１７を有する小径の筒体１８が一体に突設されている。符号１９は前記ロック部材１３を係合片１５と係合凹部１６とが係合する方向に付勢するスプリング、２０は容器本体１の口部１ｃと栓本体２との水密性を確保するためのシールパッキンである。
【００１４】
前記飲み口４は、図２ないし図４に示すように、自由状態においてロック部材１３の方向に斜め上向きに傾斜した状態で延び、ユーザが口に含むパイプ形状の飲み口本体４ａと、該飲み口本体４ａの下端に一体に延設され、前記栓本体１における嵌挿穴１０に嵌挿される嵌挿部４ｂと、該嵌挿部４ｂから前記栓本体２の天壁２ａ裏面よりも下方に達するように一体に延設された延設部４ｃとからなっており、ゴム（例えば、シリコンゴム）による一体成形品により構成されている。前記嵌挿部４ｂの外周部には、前記栓本体２における筒状リブ１１に被嵌されるキャップ２１が一体に形成されている。該キャップ２１における前記ヒンジ受け１２側には、前記筒体１８に被嵌される被嵌部２２ａと、該被嵌部２２ａの上部から前記ヒンジ受け１２側に向かって斜め上向きに傾斜して延設され、前記蓋体５を開蓋方向に付勢する付勢手段として作用する弾性筒２２ｂとからなる付勢部材２２が一体に形成されており、該弾性筒２２ｂには、前記空気抜き通路１７と連通する空気通路２３が形成されている。
【００１５】
また、前記飲み口４における延設部４ｃには、前記嵌挿穴１０への嵌挿状態において該嵌挿穴１０の内面側開口１０ａをシールする環状リブ２４が一体に形成されている。つまり、環状リブ２４の外径Ｘが前記嵌挿穴１０の内径Ｙより大きくされているのである（図３および図４参照）。このようにすると、飲み口４を嵌挿穴１０に嵌挿した状態においては、筒状リブ１１とキャップ２１との被嵌部位および嵌挿穴１０の内面側開口１０ａと環状リブ２４との当接部位においてシール状態を確保することができることとなり、容器本体１を傾けた時の飲み口４の嵌挿部位における液漏れを確実に防止することができる。符号２５はロック部材１３をスプリング１９の付勢力に抗して所定位置に位置決めする位置決め用係止突起である。
【００１６】
ところで、上記したように、嵌挿穴１０の内面側開口１０ａと環状リブ２４との当接部位においてシール状態を確保する手段に代えて、図５に示すように、飲み口４の延設部４ｃにおける嵌挿穴１０より内方に位置する部位の外径Ｘを前記嵌挿穴１０の内径Ｙより大径となるように設定することもできる。
【００１７】
前記蓋体５は、図２および図６に示すように、前記栓本体２の天壁２ａの全体を覆蓋し得る逆お椀形状とされ、合成樹脂の一体成形品からなっており、その外周端縁の一端側には、前記栓本体２側のヒンジ受け１２に対してヒンジピン２６を介して回動自在に結合されるヒンジ部２７が一体に突設される一方、、該ヒンジ部２７の反対側には、前記ロック部材１３の係合凹部１６に対して蓋体５の閉止時に係合する係合片１５が一体に突設されている。
【００１８】
また、前記蓋体５の内面には、該蓋体５の閉止時に前記飲み口４の飲み口本体４ａを押圧変形させ、蓋体５による覆蓋をし易くするためのリブ２８が一体に垂設されている（図１参照）。該リブ２８は、図６に示すように、ヒンジ部２７と係合片１５とを結ぶ線に対して略直交する外方に向かって凸な円弧形状とされており、その下端には、前記飲み口本体４ａに圧接される圧接凹部２９が形成されている。このようにすると、リブ２８の剛性が強化されることとなる。符号３０は蓋体５の閉止時に前記付勢部材２２における弾性筒２２ｂの先端が圧接される円形凹部である。
【００１９】
上記のように構成された飲料用容器においては、次のような作用効果が得られる。
【００２０】
この飲料用容器においては、蓋体５を開蓋した状態で、飲み口４の嵌挿部４ｂおよび延設部４ｃを栓本体２の嵌挿穴１０に嵌挿すると同時に、キャップ２１および付勢部材２２における被嵌部２２ａを筒状リブ１１および筒体１８に対してそれぞれ被嵌する（図２参照）。すると、飲み口４の延設部４ｃが、栓本体２の天壁２ａ裏面よりも下方に達することとなるので、該延設部４ｃに対してストロー３の上端を接続する。この状態の栓本体２を、液体を収容した容器本体１の口部１ｃに螺結合すれば、飲料用容器の組み立てが完了することとなる。
【００２１】
上記のように構成したことにより、シリコンゴム製の管状部材からなる飲み口４の延設部４ｃに対して、ストロー３の上端を直接接続することができることとなる。従って、ストロー３がたとえ真円形状となっていなくとも、飲み口４の延設部４ｃが柔軟性のあるシリコンゴム製となっているところから、ストロー３と飲み口４の延設部４ｃとの接続部位に隙間が生じるということがなくなり、液体吸飲時に空気が混入するということがなくなる。その結果、スムーズな液体吸飲が行えることとなり、ユーザにとって好印象な飲料用容器となる。しかも、飲み口４の延設部４ｃに対して、ストロー３の上端を直接接続するようにしているため、部品点数を削減できる。
【００２２】
また、この飲料用容器の場合、内部の液体を吸飲しないときには、蓋体５が閉止されるが、蓋体５の閉止状態は、ロック部材１３の係合凹部１６への蓋体５の係合片１５の係合によって保持される。この状態においては、飲み口４の飲み口本体４ａは、図１に示すように、蓋体５のリブ２７によって押圧変形されて蓋体５内に収納されることとなっている。この時、飲み口４と一体に形成されている付勢部材２２の弾性筒２２ｂは、蓋体５の内面に形成された円形凹部３０に嵌合された状態で押圧されており、圧縮変形により蓋体５を開蓋するための付勢力が蓄えられている。
【００２３】
この飲料用容器から内部の液体を吸飲しようとする時には、ロック部材１３の上部をスプリング１９の付勢力に抗して指力で押圧すると、ロック部材１３の係合凹部１６と蓋体５の係合片１５との係合が外れる。すると、蓋体５は自由状態となり、飲み口４の飲み口本体４ａと付勢部材２２の弾性筒２２ｂとの変形復帰力が蓋体５を開蓋する付勢力となり、蓋体２は、図２に示すように、ヒンジピン２６を中心として開蓋される。この時、飲み口本体４ａは、斜め上向きの自由状態となり、ユーザが吸飲し易い形状となる。
【００２４】
なお、本願発明は、上記実施の形態に限定されるものではなく、発明の要旨を逸脱しない範囲で設計変更可能なことは勿論である。
【図面の簡単な説明】
【００２５】
【図１】本願発明の実施の形態にかかる飲料用容器の蓋体閉蓋状態を示す縦断面図である。
【図２】本願発明の実施の形態にかかる飲料用容器の蓋体開蓋状態を示す要部断面図である。
【図３】本願発明の実施の形態にかかる飲料用容器における飲み口の側面図である。
【図４】本願発明の実施の形態にかかる飲料用容器における栓本体の断面図である。
【図５】本願発明の実施の形態にかかる飲料用容器における飲み口の変形例を示す側面図である。
【図６】本願発明の実施の形態にかかる飲料用容器における蓋体の下面図である。
【符号の説明】
【００２６】
１は容器本体
１ａは上部開口
２は栓本体
３はストロー
４は飲み口
４ａは飲み口本体
４ｂは嵌挿部
４ｃは延設部
５は蓋体
１０は嵌挿穴
１１は筒状リブ
１８は筒体
２１はキャップ
２２ａは被嵌部
【図１】
0004432900.tif 000002
【図２】
0004432900.tif 000003
【図３】
0004432900.tif 000004
【図４】
0004432900.tif 000005
【図５】
0004432900.tif 000006
【図６】
0004432900.tif 000007